(57)【要約】      （修正有）【課題】音声制御式電源装置を提供する。【解決手段】本音声制御式電源装置は、ケース、該ケースに固定されて交流電源入力に用いられる複数の導電端子と該ケース内に取付けられた音声制御回路を包含し、該音声制御回路はこれら導電端子に電気的に接続された電源回路ユニット、スイッチ回路ユニット、及び制御ユニットを包含し、該スイッチ回路ユニットはリレーとリレー動作を制御する駆動回路を包含し、該制御ユニットは電源回路ユニットの出力端に接続されたマイクロコントローラ電源ユニット、該音声検出ユニット及び該音声検出ユニットの出力端に接続された音声増幅ユニット及びマイクロコントローラを包含し、マイクロコントローラの信号入力端は音声増幅ユニットの出力端に接続され、マイクロコントローラの制御出力端は駆動回路の入力端に接続される。音声制御式電源装置は電気設備のオンオフに用いられ且つ操作が簡便である。【選択図】図２
0003162059.tif 000002
【実用新案登録請求の範囲】
【請求項１】
音声制御式電源装置において、
ケースと、
該ケースに固定されて交流電源を入力するのに用いられる複数の導電端子と、
該ケース内に取付けられた音声制御回路であって、
電源回路ユニットであって、入力端がこれら導電端子に電気的に接続され、降圧器、整流器、電圧安定器、及びろ波器を包含し、該電圧安定器は第１トランジスタとフィードバック回路を包含し、該フィードバック回路は比較器を包含し、該第１トランジスタのコレクタとエミッタは該整流器の出力端の間に接続され、該第１トランジスタのベースは該比較器の出力端に電気的に接続された、上記電源回路ユニットと、
スイッチ回路ユニットであって、該電源回路ユニットの出力端に電気的に接続され、リレーと該リレーの動作を制御する駆動回路を包含する、上記スイッチ回路ユニットと、
制御ユニットであって、マイクロコントローラ電源ユニット、音声検出ユニット、音声増幅ユニット、及びマイクロコントローラを包含し、該マイクロコントローラ電源ユニットは該電源回路ユニットの出力端に電気的に接続され、該音声増幅ユニットの入力端は該音声検出ユニットの出力端に電気的に接続され、該マイクロコントローラの信号入力端は該音声増幅ユニットの出力端に電気的に接続され、該マイクロコントローラの制御出力端は該駆動回路の入力端に電気的に接続された、上記制御ユニットと、
を包含する音声制御回路と、
を包含したことを特徴とする、音声制御式電源装置。
【請求項２】
請求項１記載の音声制御式電源装置において、該制御ユニットはさらに指示ランプを包含し、該指示ランプは該マイクロコントローラに接続され並びに該ケースに固定されたことを特徴とする、音声制御式電源装置。
【請求項３】
請求項１記載の音声制御式電源装置において、該ケースは通用のプラグケース、ソケットケース、コネクタケース或いは電源分配器ケースのいずれかとされることを特徴とする、音声制御式電源装置。
【請求項４】
請求項１記載の音声制御式電源装置において、該駆動回路は第２トランジスタを包含し、該第２トランジスタのコレクタとエミッタは該リレーの入力端回路に接続され、該第２トランジスタのベースは該駆動回路の入力端に対応することを特徴とする、音声制御式電源装置。
【請求項５】
請求項１記載の音声制御式電源装置において、該マイクロコントローラ電源ユニットは第３トランジスタ、第１抵抗、第２抵抗、第３抵抗、コンデンサ及びツェナダイオードを包含し、該第３トランジスタのコレクタ及び該第３抵抗の一端が並列に該電源回路ユニットのプラス出力端に接続され、該第１抵抗と該第２抵抗は直列に接続され、該第１抵抗の一端が該第３トランジスタのエミッタに接続され、該第２抵抗の一端と該ツェナダイオードのアノードが並列に接地し、該ツェナダイオードのカソード及び該第３抵抗の別端が並列に該第３トランジスタのベースに接続され、該ツェナダイオードの参考電極が該第１抵抗と該第２抵抗の間に接続されたことを特徴とする、音声制御式電源装置。
【請求項６】
請求項１記載の音声制御式電源装置において、該音声検出ユニットは抵抗とマイクロホンを包含し、該マイクロホンは該ケースに固定され、該音声検出ユニットの抵抗の一端は該電源回路ユニットのプラス出力端に電気的に接続され、該音声検出ユニットの抵抗の別端は該マイクロホンの一端に電気的に接続され、該マイクロホンの別端は接地することを特徴とする、音声制御式電源装置。
【請求項７】
請求項１記載の音声制御式電源装置において、該音声増幅ユニットは二つのコンデンサと複数の抵抗、及び、演算増幅器を包含し、二つのコンデンサはそれぞれ該音声検出ユニットの出力端に電気的に接続され、該演算増幅器の同相入力端は基準電位に電気的に接続され、該演算増幅器の出力端は該マイクロコントローラの信号入力端に電気的に接続されたことを特徴とする、音声制御式電源装置。
【考案の詳細な説明】
【技術分野】
【０００１】
本考案は一種の電源装置に係り、特に一種の音声制御式電源装置に関する。
【背景技術】
【０００２】
電源装置は、プラグ、コネクタ、ソケット或いは電源分配器に広く応用され、周知の電源装置は一般に、絶縁ケースと導電片で構成され、そのうち、一部は制御スイッチを有し、使用時に導電片を電源と接続させ、電源切断が必要な時は、導電片を抜き取るか或いは制御スイッチを切断する。
【０００３】
しかし、現実の生活中で、コンピュータ及びその周辺機器のプリンタ、音響装置等を使用する時、コンピュータを切断した後に周辺機器が未切断であるか、或いは周辺機器が切断されていても、これら周辺設備のプラグはコンセントに接続されていて、なおも僅かな電源を浪費し続けていることがある。しかし、このような状況を防ぐために複数のプラグが差し込まれたコンセントを手動で電源切断するか或いはプラグを抜き取るのは、操作が面倒で、却ってプラグの損壊或いは導電不良を形成する恐れがある。
【考案の概要】
【考案が解決しようとする課題】
【０００４】
本考案の目的は上述の周知の技術の不足に対して、音声により電器設備のオンオフを制御でき且つ操作が簡便な音声制御式電源装置を提供することにある。
【課題を解決するための手段】
【０００５】
上述の目的を実現するため、本考案の音声制御式電源装置は、ケースと、複数の導電端子と、音声制御回路を包含する。これら複数の導電端子は該ケースに固定され、これら複数の導電端子は交流電源を入力するのに用いられる。該音声制御回路は該ケース内に取付けられ、該音声制御回路は、電源回路ユニット、スイッチ回路ユニット、及び制御ユニットを包含する。該電源回路ユニットの入力端はこれら導電端子と電気的に接続され、該電源回路ユニットは降圧器、整流器、電圧安定器、及びろ波器を包含する。該電圧安定器は第１トランジスタとフィードバック回路を包含し、該フィードバック回路は比較器を包含し、該第１トランジスタのコレクタとエミッタは該整流器出力端の間に電気的に接続され、第１トランジスタのベースは比較器の出力端と電気的に接続される。該スイッチ回路ユニットは電源回路ユニットの出力端に電気的に接続され、該スイッチ回路ユニットはリレーと該リレーの動作を制御する駆動回路を包含する。該制御ユニットはマイクロコントローラ電源ユニット、音声検出ユニット、音声増幅ユニット及びマイクロコントローラを包含する。該マイクロコントローラ電源ユニットは電源回路ユニットの出力端に電気的に接続され、該音声増幅ユニットの入力端は該音声検出ユニットの出力端に電気的に接続され、該マイクロコントローラの信号入力端は該音声増幅ユニットの出力端に電気的に接続され、該マイクロコントローラの制御出力端は該駆動回路の入力端に電気的に接続される。
【考案の効果】
【０００６】
本考案の音声制御式電源装置は、音声増幅ユニットが音声検出ユニットの採集した音声信号に対して増幅を行ない並びにマイクロコントローラに伝送し、マイクロコントローラがこれにより信号を駆動回路に向けて出力し、駆動回路にリレーを制御させ、これにより被制御交流回路のオンオフを制御して電子電気機器のオンオフを制御し、操作が簡便である。
【図面の簡単な説明】
【０００７】
【図１】本考案の音声制御式電源装置の実施例の構造表示図である。
【図２】図１の音声制御式電源装置の音声制御回路のブロック図である。
【図３】図２の音声制御回路の電源回路ユニットとスイッチ回路ユニットの原理図である。
【図４】図２の音声制御回路の制御ユニットの原理図である。
【考案を実施するための形態】
【０００８】
本考案の技術内容、構造特徴、その達成する目的及び作用効果について、以下に実施例を挙げ並びに図面と組み合わせて詳細に説明する。
【０００９】
図１及び図２を参照されたい。本考案の音声制御式電源装置１００は、ケース１と、複数の導電端子２と、音声制御回路３を包含する。ケース１は通用のプラグケースとされ、複数の導電端子２は該ケース１に固定されて交流電源を入力するのに用いられる。該音声制御回路３は該ケース１内に取付けられる。
【００１０】
図２を参照されたい。該音声制御回路３は、電源回路ユニット１０、スイッチ回路ユニット２０、及び制御ユニット３０を包含する。
【００１１】
図２及び図３を参照されたい。該電源回路ユニット１０の入力端はこれら導電端子２と電気的に接続され、該電源回路ユニット１０は、降圧器１１、整流器１２、電圧安定器１３、及びろ波器１４を包含する。電圧安定器１３は第１トランジスタＱ１とフィードバック回路１３１を包含し、該フィードバック回路１３１は比較器Ｕ１Ａと複数の抵抗Ｒ９、Ｒ１０、Ｒ１１を包含する。抵抗Ｒ９の一端は抵抗Ｒ１０の一端に接続され、抵抗Ｒ９の別端は電源回路ユニット１０のプラス出力端ＶＣＣに接続され、抵抗Ｒ１０の別端は接地する。比較器Ｕ１Ａの同相入力端は抵抗Ｒ９と抵抗Ｒ１０の間に接続され、比較器Ｕ１Ａの逆相入力端は標準電圧に接続される。第１トランジスタＱ１のコレクタとエミッタは整流器１２のプラス、マイナス出力端の間に電気的に接続され且つ整流器１２のマイナス出力端は接地し、第１トランジスタＱ１のベースは比較器Ｕ１Ａの出力端と電気的に接続される。
【００１２】
電源回路ユニット１０のプラス出力端ＶＣＣが設定値より高い時、比較器Ｕ１Ａは信号を第１トランジスタＱ１に伝送し、第１トランジスタＱ１は閉じた状態を呈し、このとき、整流器１２のプラス出力端は接地し、電源回路ユニット１０は電源出力を停止する。電源回路ユニット１０のプラス出力端ＶＣＣが設定値より低い時、比較器Ｕ１Ａは別の信号を第１トランジスタＱ１に伝送し、第１トランジスタＱ１は開いた状態となり、この時、整流器１２の出力電圧は正常に出力される。
【００１３】
図２と図３を参照されたい。上述のスイッチ回路ユニット２０は電源回路ユニット１０の出力端と電気的に接続される。該スイッチ回路ユニット２０はリレー２１と該リレー２１の動作を制御する駆動回路２２を包含する。該リレー２１は駆動回路２２の出力端と接続されて、被制御交流回路のオンオフを制御するのに用いられる。駆動回路２２は第２トランジスタＱ２を包含する。該第２トランジスタＱ２のコレクタとエミッタはリレー２１の入力端回路に接続され、第２トランジスタＱ２のベースは駆動回路２２の入力端に対応し、第２トランジスタＱ２は制御ユニット３０の伝送する信号を受けてオンオフ動作を行ない、リレー２１の動作を駆動し、これにより被制御交流回路のオンオフを制御して電子電気機器のオンオフを制御する。
【００１４】
図１、図２及び図４を参照されたい。上述の制御ユニット３０は、マイクロコントローラ電源ユニット３１、音声検出ユニット３２、音声増幅ユニット３３、マイクロコントローラ３４及び指示ランプ３５を包含する。マイクロコントローラ電源ユニット３１は電源回路ユニット１０の出力端に電気的に接続され、上述の標準電圧はマイクロコントローラ電源ユニット３１の出力電圧とされる。マイクロコントローラ電源ユニット３１は第３トランジスタＱ３、第１抵抗Ｒ７、第２抵抗Ｒ８、第３抵抗Ｒ６、コンデンサＣ３及びツェナダイオードＵ２を包含する。これら電子素子で構成される電圧安定化ろ波回路は電源回路ユニット１０の出力電圧に対してろ波を行ないマイクロコントローラ３４の動作に必要な電圧を提供する。第３トランジスタＱ３のコレクタと第３抵抗Ｒ６の一端は並列に電源回路ユニット１０のプラス出力端ＶＣＣに接続され、第３トランジスタＱ３のエミッタはマイクロコントローラ電源ユニット３１のプラス出力端に対応し、第１抵抗Ｒ７と第２抵抗Ｒ８は直列に接続され、第１抵抗Ｒ７の一端は第３トランジスタＱ３のエミッタに接続され、第２抵抗Ｒ８の一端及びツェナダイオードＵ２のアノードＡは並列に接地され、ツェナダイオードＵ２のカソードＫ及び第３抵抗Ｒ６の別端は並列に第３トランジスタＱ３のベースに接続され、ツェナダイオードＵ２の参考電極Ｒは第１抵抗Ｒ７と第２抵抗Ｒ８の間に接続され並びに基準電位２．５Ｖを導出する。
【００１５】
音声検出ユニット３２は採集した音声信号を電気信号に変換し、該音声検出ユニット３２は抵抗Ｒ１２及びマイクロホン（ＭＩＣ）３２１を包含する。マイクロホン３２１はケース１に固定され、抵抗Ｒ１２の一端は電源回路ユニット１０のプラス出力端に電気的に接続される。抵抗Ｒ１２の別端はマイクロホン３２１の一端に電気的に接続され、マイクロホン３２１の別端は接地する。
【００１６】
音声増幅ユニット３３の入力端は音声検出ユニット３２の出力端に電気的に接続され、該音声増幅ユニット３３は二つのコンデンサＣ４、Ｃ５、複数の抵抗Ｒ１３、Ｒ１４、Ｒ１５、Ｒ１６、Ｒ２０及び演算増幅器Ｕ１Ｂを包含する。コンデンサＣ４、Ｃ５はそれぞれマイクロホン３２１の両端に電気的に接続されて、音声検出ユニット３２の発生した電気信号を演算増幅器Ｕ１Ｂに送り増幅させる。マイクロコントローラ３４の信号入力端は演算増幅器Ｕ１Ｂの出力端に電気的に接続され、マイクロコントローラ３４の制御出力端は駆動回路２２の入力端に電気的に接続される。上述の基準電位２．５Ｖは抵抗Ｒ１５を介して演算増幅器Ｕ１Ｂの同相入力端に接続され、演算増幅器Ｕ１Ｂの出力する電気信号の最低電位値を０Ｖより高く確保して、マイクロコントローラ３４が判断できるようにする。指示ランプ３５はマイクロコントローラ３４の表示出力端に電気的に接続され並びにケース１に固定されて、電器設備の動作状態表示を行う。
【００１７】
図１、図２、図３及び図４を参照されたい。本考案の音声制御式電源装置１００は交流電源を導入し、マイクロホン３２１が音声信号を採集し並びに電気信号に変換し、演算増幅器Ｕ１Ｂで増幅後にマイクロコントローラ３４に送り、マイクロコントローラ３４が信号を指示ランプ３５と駆動回路２２に送り、指示ランプ３５を点滅させ、第２トランジスタＱ２を閉じた状態となし、これによりリレー２１を駆動して吸着させ、被制御交流回路を導通させて、電器設備をオンする。マイクロホン３２１はさらに音声信号を採集して電気信号に変換し、マイクロコントローラ３４が信号を指示ランプ３５と駆動回路２２に送り、指示ランプ３５を点滅させ、第２トランジスタＱ２を閉じた状態となし、これによりリレー２１を駆動して吸着させ、被制御交流回路を導通させて、電器設備をオンする。マイクロホン３２１はさらに音声信号を採集して電気信号に変換し、マイクロコントローラ３４は別の信号を指示ランプ３５と駆動回路２２に送り、指示ランプ３５を消灯し、第２トランジスタＱ２を切断状態とし、リレー２１を駆動して釈放し、被制御交流回路を切断し、電器設備をオフする。
【００１８】
総合すると、本考案の音声制御式電源装置１００は音声増幅ユニット３３により音声検出ユニット３２の採集した音声信号を増幅し並びにマイクロコントローラ３４に送り、マイクロコントローラ３４が信号を駆動回路２２に出力してリレー２１を制御し、これにより被制御交流回路のオンオフを制御して電器設備のオンオフ制御を達成する。
【００１９】
本考案は上述の具体的実施方式に限定されるわけではなく、当業者であればこれに基づき多くの変更をなすことが可能で、例えば、ケース１を通用のソケットケース、コネクタケース或いは電源分配器のケースのいずれかとすることができ、これらの変更はいずれも本考案の権利請求の範囲内に属する。
【符号の説明】
【００２０】
１００  音声制御式電源装置
１  ケース              ２  導電端子
３  音声制御回路
１０  電源回路ユニット
１１  降圧器            １２  整流器
１３  電圧安定器        １３１  フィードバック回路
１４  ろ波器
２０  スイッチ回路ユニット
２１  リレー            ２２  駆動回路
３０  制御ユニット
３１  マイクロコントローラ電源ユニット  ３２  音声検出ユニット
３２１  マイクロホン
３３  音声増幅ユニット                  ３４  マイクロコントローラ
３５  指示ランプ
Ｕ１Ａ  比較器
Ｕ１Ｂ  演算増幅器
Ｑ１  第１トランジスタ      Ｑ２  第２トランジスタ
Ｑ３  第３トランジスタ
Ｒ７  第１抵抗              Ｒ８  第２抵抗
Ｒ６  第３抵抗              Ｕ２  ツェナダイオード
Ｃ３、Ｃ４、Ｃ５  コンデンサ
Ｒ９、Ｒ１０、Ｒ１１、Ｒ１２、Ｒ１３、Ｒ１４、Ｒ１５、Ｒ１６、Ｒ２０  抵抗
【図１】
0003162059.tif 000003
【図２】
0003162059.tif 000004
【図３】
0003162059.tif 000005
【図４】
0003162059.tif 000006